(57)【要約】【課題】リーダライタ３１と移動体とが非接触で通信する非接触型リーダライタシステムにおいて、例えば、リーダライタが電磁気的に遮蔽された閉空間の内部に存在する移動体と非接触で通信するような場合に、効果的な非接触通信を実現する。【解決手段】前記移動体と非接触で通信するためのアンテナを内部に有するとともに前記アンテナと有線接続されたコア付きアンテナを外部に有した収納ボックス３３と、前記収納ボックスが格納される領域を有するとともに前記リーダライタ側と有線接続され且つ前記収納ボックスのコア付きアンテナと通信するコア付きアンテナ４３を有した格納部４１と、を備えた。【選択図】  図５
2010122865.tif 000002
【特許請求の範囲】
【請求項１】
リーダライタと移動体とが非接触で通信する非接触型リーダライタシステムにおいて、
前記移動体と非接触で通信するためのアンテナを内部に有するとともに前記アンテナと有線接続されたコア付きアンテナを外部に有した収納ボックスと、
前記収納ボックスが格納される領域を有するとともに、前記リーダライタ側と有線接続され且つ前記収納ボックスのコア付きアンテナと通信するコア付きアンテナを有した格納部と、
を備えたことを特徴とする非接触型リーダライタシステム。
【発明の詳細な説明】
【技術分野】
【０００１】
本発明は、リーダライタと移動体とが非接触で通信する非接触型リーダライタシステムに関し、特に、例えば、リーダライタが電磁気的に遮蔽された閉空間の内部に存在する移動体と非接触で通信するような場合に、効果的な非接触通信を実現する非接触型リーダライタシステムに関する。
【背景技術】
【０００２】
例えば、電磁的に閉じられた空間の中にあるＩＣタグの情報を読み取る方法について、金属コンテナなどを例として、電磁気的に遮蔽された閉空間内部のＩＣタグの情報を読み取るアンテナへ外部から給電するために、インタフェースとしてループコイルをそのコンテナの外部に設置し、リーダライタ側のアンテナループとの結合により、非接触な状態で、遮蔽空間内のアンテナへ給電して、ＩＣタグの情報を読み取るものが検討等されていた。
【０００３】
しかしながら、このような構成では、空芯コイル同士であるため、コイル間の結合が弱く、磁束が漏れてしまい、エネルギーの損失が大きく、不効率な伝播であった。
また、適したアンテナ間の結合とするために、コイル間の距離や各コイルの方向性などを調整することが極めて困難であった。
更に、コイル間の結合を成立させるための空間の確保が必要であった。
【０００４】
【特許文献１】特開２００８−１７２５０３号公報
【発明の開示】
【発明が解決しようとする課題】
【０００５】
上述のように、リーダライタとＩＣタグ等の移動体とが非接触で通信する非接触型リーダライタシステムでは、例えば、リーダライタが電磁気的に遮蔽された閉空間の内部に存在する移動体と非接触で通信するような場合について、更なる開発が要求されていた。
本発明は、このような従来の事情に鑑み為されたもので、例えば、リーダライタが電磁気的に遮蔽された閉空間の内部に存在する移動体と非接触で通信するような場合に、効果的な非接触通信を実現することができる非接触型リーダライタシステムを提供することを目的とする。
【課題を解決するための手段】
【０００６】
上記目的を達成するため、本発明では、リーダライタと移動体とが非接触で通信する非接触型リーダライタシステムにおいて、次のような構成とした。
すなわち、所定の収納ボックスと、所定の格納部を備えた。
前記収納ボックスは、前記移動体と非接触で通信するためのアンテナを内部に有するとともに、前記アンテナと有線接続されたコア付きアンテナを外部に有する。
前記格納部は、前記収納ボックスが格納される領域を有するとともに、前記リーダライタ側と有線接続され且つ前記収納ボックスのコア付きアンテナと通信するコア付きアンテナを有する。
【０００７】
従って、格納部の所定の領域に収納ボックスが格納されて、リーダライタ側、格納部のコア付きアンテナ、収納ボックス外部のコア付きアンテナ、収納ボックス内部のアンテナ、移動体という順序（及び、これとは逆の順序）で信号を伝送することが可能となり、これにより、例えば、リーダライタが電磁気的に遮蔽された閉空間（ここでは、収納ボックス）の内部に存在する移動体と非接触で通信するような場合に、効果的な非接触通信を実現することができる。
【０００８】
ここで、リーダライタとしては、種々なものが用いられてもよい。
また、移動体としては、種々なものが用いられてもよく、例えば、ＩＣタグや、ＩＣカードなどを用いることができる。移動体は、例えば、リーダライタによる管理対象となる物品などに付される。
また、非接触で通信するためのアンテナとしては、例えば、ループ状のアンテナ（ループアンテナ）などを用いることができる。
また、コア付きアンテナとしては、例えば、割りコアに巻き線を巻いたものを用いることができる。
【０００９】
また、収納ボックスとしては、種々なものが用いられてもよい。収納ボックスには、移動体（例えば、移動体が付された物品など）を収納することができる。
また、格納部としては、種々なものが用いられてもよく、例えば、棚などを用いることができる。
また、格納部に設けられる収納ボックスが格納される領域としては、種々なものが用いられてもよく、例えば、収納ボックスが格納された場合に収納ボックスのコア付きアンテナと格納部のコア付きアンテナとが互いに対向するように（互いに通信可能になるように）構成されるのが好ましい。
【発明の効果】
【００１０】
以上説明したように、本発明に係る非接触型リーダライタシステムによると、例えば、リーダライタが電磁気的に遮蔽された閉空間（例えば、収納ボックス）の内部に存在する移動体と非接触で通信するような場合に、効果的な非接触通信を実現することができる。
【発明を実施するための最良の形態】
【００１１】
本発明に係る実施例を図面を参照して説明する。
図１には、本発明の一実施例に係る非接触型リーダライタシステムの構成例を示してある。特に、本例の特徴点であるリーダライタ（又は、他の構成例として、アンテナ切替器などの上位装置、以下も同様）１とアンテナ１３との間の構成例が示されている。
本例の非接触型リーダライタシステムとしては、ＲＦＩＤシステムを用いている。
【００１２】
本例の非接触型リーダライタシステムでは、リーダライタ１とリーダライタ側の割りコア１１とが接続されて設けられており、アンテナ１３とアンテナ側の割りコア１２とが接続されて設けられており、また、移動体の一例としてＩＣタグ２が設けられている。ここで、割りコア１１、１２は、インタフェース（Ｉ／Ｆ）として用いられる。
ＩＣタグ２は、リーダライタ１と非接触で通信するためのアンテナや、例えば各ＩＣタグ毎に固有な識別情報などの各種の情報を記憶するメモリなどを備えている。
本例では、リーダライタ１とＩＣタグ２との間で、これらのアンテナを介して、リーダライタ１からＩＣタグ２への電力供給や、リーダライタ１からＩＣタグ２への情報通信や、ＩＣタグ２からリーダライタ１への情報通信を行うことが可能である。
【００１３】
図２には、割りコアＡ（本例では、割りコア１１や割りコア１２）と、その巻き線Ｂ（本例では、巻き線２１や巻き線２２）の構成例を示してある。
図３には、２個の割りコアＣ１、Ｃ２（本例では、割りコア１１と割りコア１２）の重ね合わせの一例を示してある。本例では、２個の割りコアＣ１、Ｃ２は、それぞれ、１個の環状のコアを半分にしたものとなっている。
図４には、割りコア１１、１２のインタフェースによる電力の伝播の様子の一例を示してある。リーダライタ１側の巻き線２１が巻かれた割りコア１１と、アンテナ１３側の巻き線２２が巻かれた割りコア１２が示されている。
【００１４】
本例では、リーダライタ１からの出力端とアンテナ給電部の入力端とのインタフェースに割りコア１１、１２が使用されており、割りコア１１、１２はそれぞれＲＦ（無線周波数）伝送線端２１、２２が巻かれたコイルとなっている。また、割りコア１１、１２の面同士が向き合う（重なる）形で近接若しくは接する機構となっている。
リーダライタ１からの出力は、リーダライタ１側の巻き線２１のコイル、リーダライタ１側の割りコア１１、アンテナ１３側の割りコア１２、アンテナ１３側の巻き線２２のコイル、という順序で伝送されて、アンテナ１３へ給電される。本例では、同様な原理により、リーダライタ１側からＩＣタグ２への電力供給や、リーダライタ１側からＩＣタグ２への情報通信や、ＩＣタグ２からリーダライタ１側への情報通信を行うことが可能である。
【００１５】
コアによって巻き線に発生する磁束は、自身の割りコアと向かい合う割りコア（本例では、向かい合う２個の割りコア１１、１２）との間でトロイダルコアを用いたトランスのように磁束が閉じ込められてリーダライタ１（１次側）からアンテナ１３（２次側）へ伝わるため、アンテナ１３側のコイルに漏れなく磁束が貫き、損失の無い電力伝播が可能となる。当然、割りコア１１、１２の面が十分に重ならない場合には、割りコア１１、１２を貫く磁束は十分に伝わらないため、電力や情報は十分に伝播しない。割りコア１１、１２は、完全に重なることが望ましいが、電力や情報の伝播量が必要な程度に重なっていれば、本発明の効果を奏する。
【００１６】
なお、本例では、割りコア１１、１２以外の部位については、例えば、従来と同様な回路が用いられてもよい。但し、アンテナ１３の特性は、割りコア１１、１２の面が重なる状態で調整されているものとする。
本実施例では、このように割りコアを用いた入出力接続部を割りコアインタフェース（割りコアＩ／Ｆ）と呼ぶ。
【００１７】
以下で、本例の非接触型リーダライタシステムの具体的な適用例として、（適用例１）〜（適用例３）を示す。
（適用例１）物品管理システム
図５には、本発明の一実施例に係る非接触型リーダライタシステムを適用した物品管理システムの構成例を示してある。
本例の物品管理システムでは、リーダライタ３１とアンテナ切替器３２がケーブル５１を介して接続されて設けられており、複数の格納棚架４１が設けられており、収納ボックス（収納ＢＯＸ）３３が設けられている。
【００１８】
各格納棚架４１には、複数の収納ガイド４２が例えば等間隔で設けられており、これにより、収納ボックス３３を格納する複数の領域が収納ガイド４２により区切られて設けられている。収納ボックス３３を格納するための複数の領域のそれぞれには、インタフェースとなるリーダライタ側の割りコア４３が設けられており、当該割りコア４３とアンテナ切替器３２とがケーブル５２を介して接続されている。
【００１９】
図６には、アンテナ６１を内蔵した収納ボックス３３の構成例と、割りコア４３、６２をインタフェースとした様子の一例を示してある。
収納ボックス３３の内部の底面にはループ型のアンテナ６１が備えられており、当該収納ボックス３３の側面の端にはアンテナ６１側の割りコア６２が備えられている。
本例では、ある１個の格納棚架４１において収納ガイド４２により区切られた１個の格納領域に１個の収納ボックス３３を格納すると、当該格納領域に設けられたリーダライタ側の割りコア４３と当該収納ボックス３３の側面の端に設けられたアンテナ６１側の割りコア６２とが重ね合わされるように配置されている。
【００２０】
更に具体的に説明する。
例えば、個々の管理物品を収納ボックス３３に収納し、収納ボックス３３を所定の管理棚に格納するための棚架４１などで構成された物品管理システムを例とする。
個々の物品にはＩＣタグを貼り付け、収納ボックス３３には中に入っているＩＣタグの情報のみを読み取るアンテナ６１が内蔵されている。更に、収納ボックス３３には、必要なときに確実に読み取りができるＩＣタグを内藏してもよい。
【００２１】
また、本例では、収納ボックス３３同士で隣接した場合においても、収納ボックス３３のアンテナ６１が干渉や結合しないように、収納ボックスは金属シールドされている。収納ボックス３３の側面に、本例のアンテナ６１側の割りコア６２が設置されている。
【００２２】
一方、棚架４１には収納ボックス３３が所定の位置に正確に置かれるようなガイド（収納ガイド）４２が設けられており、収納ボックス３３が格納されたときにその収納ガイド４２により収納ボックス３３の割りコア６２が特定の位置及び方向にくるようになっている。そして、このときに、収納ボックス３３のアンテナ６１側の割りコア６２と面が重なるようにリーダライタ出力側の割りコア４３が設置されており、上位のアンテナ切替器３２（及び、リーダライタ３１）に接続する。
【００２３】
以上のように、本例では、収納ボックス３３の内側にＩＣタグと交信するためのアンテナ６１を設け、収納ボックス３３の外側に前記アンテナ６１と有線接続されたコア付きアンテナ（本例では、割りコア６２）を設け、また、棚等（本例では、格納棚架４１）の所定の位置に、前記コア付きアンテナと交信するためのコア付きアンテナであってリーダライタ側と有線接続されたコア付きアンテナ（本例では、割りコア４３）を設けた。
従って、ＩＣタグを貼り付けた物品を収納ボックス３３の中に入れ、その収納ボックス３３のコア付きアンテナ（本例では、割りコア６２）をリーダライタ側のコア付きアンテナ（本例では、割りコア４３）と近接又は接触させることにより、リーダライタ３１によってＩＣタグから情報を読み取ること或いはＩＣタグへ情報を書き込むことができる。
【００２４】
また、本例では、収納ボックス３３のコア付きアンテナ（本例では、割りコア６２）とリーダライタ側のコア付きアンテナ（本例では、割りコア４３）とが所定の位置で重なるように、収納ボックス３３に位置ガイド（収納ガイド）４２が設けられている。
また、本例では、収納ボックス３３のコア付きアンテナ（本例では、割りコア６２）は、他の収納ボックスのコア付きアンテナと干渉しないように、（例えば、リーダライタ側の割りコアと重なる面が開いた金属製の箱状のシールドを用いて）金属シールドされている。また、本例では、例えば、リーダライタ側のコア付きアンテナ（本例では、割りコア４３）についても金属シールドされている。
【００２５】
（適用例２）携帯側リーダライタシステム
本例では、図５や図６に示される収納ボックス３３を棚架４１から出された状態で個別に取り扱う場合の例を示す。
図７には、携帯型リーダライタ７１の構成例を示してある。
本例の携帯型リーダライタ７１は、リーダライタ側のインタフェースとして割りコア８１を内蔵して備えており、また、ループ状のアンテナ８２を備えている。このように、本例の携帯型リーダライタ７１は、コア付きアンテナ（本例では、割りコア８１）とコア無しアンテナ（本例では、アンテナ８２）の両方を備えている。
【００２６】
図８には、本例の携帯型リーダライタシステムの機能構成例を示してある。
本例の携帯型リーダライタシステムは、携帯型リーダライタ７１と、ＩＣタグ９１と、収納ボックス１０１を有している。
携帯型リーダライタ７１は、リーダライタ側のインタフェースとなる割りコア８１と、リーダライタ側のアンテナ８２と、並列に接続された割りコア８１及びアンテナ８２に接続されて無線周波数（ＲＦ）信号を出力するＲＦ出力部８３を備えている。なお、ＲＦ出力部８３に相当する処理部としては、例えば、電力送信や情報送信ばかりでなく情報受信が可能な処理部が用いられてもよい。
【００２７】
収納ボックス１０１（例えば、図５や図６に示される収納ボックス３３と同様なもの）は、内蔵されたアンテナ１１２（例えば、図５や図６に示されるアンテナ６１と同様なもの）と、当該アンテナ１１２側のインタフェースとなる割りコア１１１（例えば、図５や図６に示される割りコア６２と同様なもの）を備えている。
【００２８】
図９（ａ）、（ｂ）には、本例の携帯型リーダライタ７１の使用形態の例を示してある。
図９（ａ）には、携帯型リーダライタ７１単体でのアンテナ８２を使用するときにおける様子の一例を示してある。この場合、携帯型リーダライタ７１のＲＦ出力部８３によりループ状のアンテナ８２から発生させられた磁束が、ＩＣタグ９１に備えられたループ状のアンテナ９２を貫くことにより、携帯型リーダライタ７１からＩＣタグ９１への電力供給や、携帯型リーダライタ７１からＩＣタグ９１への情報送信や、ＩＣタグ９１から携帯型リーダライタ７１への情報送信（例えば、返答）を行うことができる。
【００２９】
図９（ｂ）には、割りコアインタフェースにより収納ボックス１０１に内蔵されたアンテナ１１２を使用するときにおける様子の一例を示してある。この場合、携帯型リーダライタ７１の割りコア８１と収納ボックス１０１の割りコア１１１とが重ね合わされて、携帯型リーダライタ７１のＲＦ出力部８３から出力された信号がこれらの割りコア８１、１１１を介してアンテナ１１２へ伝送されることで、当該アンテナ１１２から発生させられた磁束が、収納ボックス１０１の内側に存在するＩＣタグ９１に備えられたループ状のアンテナ９２を貫くことにより、携帯型リーダライタ７１からＩＣタグ９１への電力供給や、携帯型リーダライタ７１からＩＣタグ９１への情報送信や、ＩＣタグ９１から携帯型リーダライタ７１への情報送信（例えば、返答）を行うことができる。
収納ボックス１０１が、金属などの電磁波を遮蔽するものである場合、図９（ａ）のようにアンテナ８２を使用して収納ボックス１０１内のＩＣタグ９１と通信することはできないが、図９（ｂ）のように割りコア８１と収納ボックス側の割りコア１１１、内蔵アンテナ１１２を用いることで、収納ボックス１０１内のＩＣタグ９１と通信することが可能となる。
【００３０】
このように、本例の携帯型リーダライタ７１では、割りコア８１を有しており、収納ボックス１０１の内蔵アンテナ側の割りコア１１１と割りコア面を重ねることで、収納ボックス１０１を開けずに中身の物品のＩＣタグの情報を読み取ることが可能である。
また、本例の携帯型リーダライタ７１では、割りコア８１と共に、例えば従来と同様な読み取りアンテナ部（本例では、アンテナ８２）を有しているが、割りコア８１、１１１同士による読み取り時には、割りコア８１が機能し、読み取りアンテナ部は機能しないようにしている。
【００３１】
また、本例の携帯型リーダライタ７１では、割りコア８１を使用した非接触通信と、アンテナ８２を使用した非接触通信との切り替えについては、例えば、ＲＦ出力部８３のＲＦ出力を、割りコア８１を使用する場合とアンテナ８２を使用する場合のいずれか一方に切り替えることで実現できる。この切り替えは、ユーザ等によりキーなどで手動の切り替え操作が行われてもよく、あるいは、割りコア面の重ね合わせを行うだけで自動的に割りコアインタフェースによる出力が為されると同時にアンテナ８２の無効化が実現されるように、例えば、割りコア面の重ね合わせが行われたことを、リーダライタ側で検知し、アンテナ８２を非接続とし割りコア８１を接続状態としてもよい。割りコア面の重ね合わせが検知されていない場合は、アンテナ８２を接続状態とし、割りコア８１を非接続状態としておく。
【００３２】
（適用例３）コンベアラインシステム
本例では、収納ボックスがコンベア（或いは、他のものでもよい）のラインで使用される場合の例を示す。
図１０には、コンベアラインシステムの構成例を示してある。
本例のコンベアラインシステムでは、コンベア１２１上の所定の位置にリーダライタ側のインタフェースである割りコア１３１が設けられている。
【００３３】
また、収納ボックス１４１（例えば、図５や図６に示される収納ボックス３３と同様なもの）には、アンテナ（例えば、図５や図６に示されるアンテナ６１と同様なもの）や、アンテナ側のインタフェースである割りコア１４２（例えば、図５や図６に示される割りコア６２と同様なもの）が備えられている。
【００３４】
そして、コンベア１２１上に複数の収納ボックス１３１が順に流されて、各収納ボックス１３１が所定の位置に来るとその収納ボックス１３１に設けられたアンテナ側の割りコア１４２とコンベア１２１に設けられたリーダライタ側の割りコア１３１とが重なるようになっていて、この状態において、リーダライタはその格納ボックス１３１の中に存在するＩＣタグのメモリに記憶された情報を読み取ることができる。
【００３５】
このように、コンベア１２１のライン上に収納ボックス１４１内のＩＣタグの情報を読み取りするためのリーダライタ側の割りコア１３１を設置し、コンベア１２１に流す収納ボックス１４１の向きを割りコア１３１、１４２の割りコア面が重なる向きに合わせる運用とする。
コンベア１２１を流れてきた収納ボックス１４１が中身の物品のＩＣタグを読み取るポイントに到達したときに、コンベア１２１のライン側の割りコアインタフェースと収納ボックス側の割りコアインタフェースとが一致して中身のＩＣタグの情報を読み取りすることができる。
【００３６】
以上のように、本例の非接触型リーダライタシステムでは、物品にＩＣタグを貼り付け、主に所定の場所に配置する、持ち出す、戻すなどの動作が発生するような物品の在庫の把握や追跡などを行うための管理システムを実現することが可能である。
また、本例の非接触型リーダライタシステムでは、個々の物品にＩＣタグを貼り付け、これらの物品がカゴや箱などの容器（収納ボックス）に収納されたままの状態で、外側から容器の中身の物品のＩＣタグの情報を一括して読み取ることが可能である。
【００３７】
また、本例では、前記した容器（収納ボックス）の側面（つまり、外側）に割りコアが設けられており、前記した容器の材質が金属などの電磁波を遮蔽するものであるような場合においても、外側から容器の中身の物品のＩＣタグの情報を一括して読み取ることが可能である。
また、本例では、ＩＣタグの情報を読み取るアンテナ部が物品を収納する容器（収納ボックス）に内蔵されており、容器内のＩＣタグの情報を読み取ることができる。
また、本例では、リーダライタからの出力を入力するアンテナ部の給電部に、接触性、嵌合性が不要なインタフェース（本例では、割りコア）を用いている。
【００３８】
従って、本例の非接触型リーダライタシステムでは、管理したい物品にＩＣタグを貼り付けて、収納ボックス等の容器に入れた状態で、その容器の材質や表面処理等に関係なく、その容器の外部から、その容器の中のＩＣタグを読み取ることが可能である。本例では、収納ボックス等の容器にはＩＣタグを読み取りするためのアンテナが内蔵されており、その容器の外部にはリーダライタからのケーブルを接続しないでアンテナへ給電するインタフェースを持ち、その容器の中のＩＣタグを読み取ることを可能とする。
【００３９】
具体的には、ＩＣタグの情報を読み取りするアンテナ部をリーダライタから物理的に切り離して、必要に応じて読み取りするために割りコアインタフェースを合わせることで、アンテナ部からＩＣタグの情報を読み取ることが可能である。また、割りコアの面を合わせるだけで容易に、損失を抑えた電力伝播により、ＩＣタグの情報を読み取ることが可能である。また、金属などの電磁遮蔽された空間内に存在するＩＣタグを読み取ることが可能である。また、割りコアインタフェースのコアについては、例えば、材質やサイズや巻き数などにより、割りコアの分離時や結合時におけるアンテナ及びリーダライタの入出力部の周波数特性を調整することができる。
このように、本例では、小さな部品や装置と簡単な構成や構造により、ケーブルを直接接続することなく、損失を抑えた電力の伝播と、電磁的に閉じられた空間の中にあるＩＣタグを読み取ることが可能である。
【００４０】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４１】
【図１】本発明の一実施例に係る非接触型リーダライタシステムの構成例を示す図である。
【図２】割りコアとその巻き線の構成例を示す図である。
【図３】２個の割りコアの重ね合わせの一例を示す図である。
【図４】割りコアのインタフェースによる電力の伝播の様子の一例を示す図である。
【図５】物品管理システムの構成例を示す図である。
【図６】アンテナを内蔵した収納ボックスの構成例及び割りコアをインタフェースとした様子の一例を示す図である。
【図７】携帯型リーダライタの構成例を示す図である。
【図８】携帯型リーダライタシステムの機能構成例を示す図である。
【図９】（ａ）、（ｂ）は携帯型リーダライタの使用形態の例を示す図である。
【図１０】コンベアラインシステムの構成例を示す図である。
【符号の説明】
【００４２】
１・・リーダライタ（又は、アンテナ切替器などの上位装置）、  ２、９１・・ＩＣタグ、  １１、１２、４３、６２、８１、１１１、１３１、１４２、Ａ、Ｃ１、Ｃ２・・割りコア、  １３、６１、８２、９２、１１２・・アンテナ、  ２１、２２、Ｂ・・巻き線、  ３１・・リーダライタ、  ３２・・アンテナ切替器、  ３３、１０１、１４１・・収納ボックス、  ４１・・格納棚架、  ４２・・収納ガイド、  ５１、５２・・ケーブル、  ７１・・携帯型リーダライタ、  ８３・・ＲＦ出力部、  １２１・・コンベア、
【図１】
2010122865.tif 000003
【図２】
2010122865.tif 000004
【図３】
2010122865.tif 000005
【図４】
2010122865.tif 000006
【図５】
2010122865.tif 000007
【図６】
2010122865.tif 000008
【図７】
2010122865.tif 000009
【図８】
2010122865.tif 000010
【図９】
2010122865.tif 000011
【図１０】
2010122865.tif 000012